(57)【要約】【課題】所定の表示の奥行き感が良好な表示装置を提供する。【解決手段】表示装置は、所定の意匠を表示する表示面４０を有する意匠表示部４と、意匠表示部４の前方に位置し、光を透過することで表示面４０に表示されている意匠を視認させる透明部材５と、を備える。透明部材５の意匠表示部４側には、同心円の周方向に沿った複数の凹部及び凸部からなる凹凸部５０が形成され、前記意匠は、凹凸部５０の少なくとも一部を横切る形状を含む。【選択図】図２
2013200142.tif 000002
【特許請求の範囲】
【請求項１】
所定の意匠を表示する表示面を有する意匠表示部と、
前記意匠表示部の前方に位置し、光を透過することで前記表示面に表示されている意匠を視認させる透明部材と、を備え、
前記透明部材の前記意匠表示部側には、同心円の周方向に沿った複数の凹部及び凸部からなる凹凸部が形成され、
前記意匠は、前記凹凸部の少なくとも一部を横切る形状を含む、
ことを特徴とする表示装置。
【請求項２】
前記表示面の少なくとも一部は、前記同心円の中心に向かって傾斜している、
ことを特徴とする請求項１に記載の表示装置。
【請求項３】
円弧状に配列された複数の目盛を表示する指標表示部と、
前記指標表示部を指示し、前記同心円の中心を中心として回転する指針と、をさらに備え、
前記意匠表示部は、前記指標表示部の内側に位置する、
ことを特徴とする請求項１又は２に記載の表示装置。
【請求項４】
前記意匠表示部の背後に位置し、前記意匠表示部を照光する光源を備え、
前記意匠表示部が表示する意匠のうち、少なくとも前記横切る形状が表示された部分は、前記光源からの光を透過して出射し、この部分から出射された光が、前記凹凸部を透過することによって、前記横切る形状が前記同心円の中心から外側に延びるように視認される、
ことを特徴とする請求項１乃至３のいずれか１項に記載の表示装置。
【発明の詳細な説明】
【技術分野】
【０００１】
本発明は、表示装置に関する。
【背景技術】
【０００２】
従来の表示装置として、例えば、特許文献１に開示された計器装置が知られている。この計器装置は、指針と、指針の指示対象となる目盛部を有する表示部と、表示部を照光する光源と、表示部の前方に配置され、筒状部材を有する見返し部材と、を備え、筒状部材の内壁に、目盛部が透過した光源から光を、この内壁において隣接する他の領域よりも強く反射する強反射領域を有するものである。この計器装置では、強反射領域が、内壁の周方向に対して垂直な方向に沿って延びる直線状の領域であり、一端が前記目盛部に向かって延びていることから、目盛部の外側において立体感のある表示が実現できる。
【先行技術文献】
【特許文献】
【０００３】
【特許文献１】特開２０１１−８５５５４号公報
【発明の概要】
【発明が解決しようとする課題】
【０００４】
特許文献１に係る計器装置の構成では、表示部が筒の底のように表現され平面的な表示になる。そのため、表示の奥行き感の点で物足りない場合があった。
【０００５】
本発明は、上記事情に鑑みてなされたものであり、所定の表示の奥行き感が良好な表示装置を提供することを目的とする。
【課題を解決するための手段】
【０００６】
上記目的を達成するため、本発明に係る表示装置は、
所定の意匠を表示する表示面を有する意匠表示部と、
前記意匠表示部の前方に位置し、光を透過することで前記表示面に表示されている意匠を視認させる透明部材と、を備え、
前記透明部材の前記意匠表示部側には、同心円の周方向に沿った複数の凹部及び凸部からなる凹凸部が形成され、
前記意匠は、前記凹凸部の少なくとも一部を横切る形状を含む、
ことを特徴とする。
【発明の効果】
【０００７】
本発明によれば、所定の表示の奥行き感が良好な表示装置を提供することができる。
【図面の簡単な説明】
【０００８】
【図１】本発明の一実施形態に係る表示装置の正面図である。
【図２】図１に示す表示装置が備える指針式計器のＡ−Ａ線概略断面図である。
【図３】（ａ）は、意匠表示部が表す意匠を説明するための図である。（ｂ）は、透明部材を介して図３（ａ）に示す意匠を見た場合にどのように視認されるかを説明するための図である。
【図４】（ａ）及び（ｂ）は、透明部材が有する凹凸部を説明するための図であり、（ａ）は、透明部材の概略正面図であり、（ｂ）は、透明部材の概略断面図である。
【図５】透明部材の凹凸部の機能を説明するための図である。
【図６】（ａ）は、意匠表示部が表す意匠の変形例を説明するための図である。（ｂ）は、透明部材を介して図６（ａ）に示す意匠を見た場合にどのように視認されるかを説明するための図である。
【図７】（ａ）は、意匠表示部が表す意匠の変形例を説明するための図である。（ｂ）は、透明部材を介して図７（ａ）に示す意匠を見た場合にどのように視認されるかを説明するための図である。
【発明を実施するための形態】
【０００９】
以下、本発明の一実施形態について図面を参照して説明する。
【００１０】
本実施形態に係る表示装置１０００は、図１に示すように、指針式計器１００と、ディスプレイ装置２００と、制御部（図示せず）と、これら各部を収納する筐体（図示せず）と、を備える車両用の複合計器として構成されている。
なお、以下では、表示装置１０００を構成する各部に対して、表示装置１０００の視認者側の方向を「表」、その反対側の方向を「裏」として、適宜、表示装置１０００を構成する各部を説明する。
【００１１】
制御部は、ＣＰＵ（Central Processing Unit）、記憶装置等からなり、車両のＥＣＵ（Electronic Control Unit）等の外部機器に接続され、外部機器から供給される車両情報（例えば、車両の走行速度、燃料の残量、エンジンの回転数、ライトの点灯、計器のオン等を特定する情報）に基づいて、各種の制御信号を生成する。制御部は、生成した制御信号を各部に供給することで、これら各部の動作を制御する。
【００１２】
ディスプレイ装置２００は、例えば、液晶表示ディスプレイ、有機ＥＬ（ElectroLuminescence）ディスプレイ装置から構成され、指針式計器１００と並列するように配置されている。ディスプレイ装置は、制御部から供給される制御信号に基づいて、エンジンの回転数、燃料の残量等の車両の情報を表示する。ディスプレイ装置２００は、公知の構成によるため詳細な説明は省略する。
【００１３】
指針式計器１００は、例えば、スピードメータとして構成されており、回路基板１と、指針２と、中ケース３と、意匠表示部４と、透明部材５と、指標表示部６と、制御部（図示せず）と、を備える。
【００１４】
回路基板１は、紙フェノール、ガラス繊維入り樹脂等からなる板状の基材に、所定の配線パターンが形成されたプリント回路板である。回路基板１には、電動機１０と、第１の光源１１と、第２の光源１２とが実装されている。
【００１５】
電動機１０は、例えば、ステッピングモータから構成され、前記基材の裏側に取り付けられている。電動機１０は、前記基材に形成された貫通孔１ａを通過し、前方（表側の方向）に向かって延びる回転軸１０ａを有する。電動機１０は、制御部の制御の下、計測量（車速）に応じて回転軸１０ａを回転させる。
【００１６】
第１の光源１１及び第２の光源１２は、それぞれ、１以上のＬＥＤ（Light Emitting Diode）から構成され、制御部の制御の下、適宜、発光する。第１の光源１１は指針２を照光し、第２の光源１２は意匠表示部４を照光する。
【００１７】
指針２は、指標表示部６が表示する目盛６ａ（目盛６ａがどのように表示されているかについては後述する）を指示する指示部２０と、指針キャップ２１とを有する。指示部２０は、透明（有色透明も含む）の導光材料からなり、指示部２０には回転軸１０ａ先端部が圧入されている。指針キャップ２１は、遮光性の樹脂材料からなり、指示部２０の回転軸１０ａ近傍を表側から覆う。このように構成された指針２は、回転軸１０ａの回転に伴って回転する。指示部２０の回転軸１０ａ近傍の部分であって、第１の光源１１と対向する部分は、第１の光源１１からの光を受ける受光部として機能し、この受光部から指示部２０内部に光を取り込み、取り込んだ光を先端まで導くことで、指示部２０が発光する。
【００１８】
中ケース３は、ポリプロピレン（ＰＰ：PolyPropylene）等の非透過性樹脂材料からなる略筒形状の部材である。中ケース３は、回路基板１の表側に配置されており、第１の光源１１が出射した光を指針２に向け効率良く導く第１の照明室３１と、第２の光源１２が出射した光を意匠表示部４に向け効率良く導く第２の照明室３２と、を有している。前述の回転軸１０ａは、第１の照明室３１を通過して、その先端が中ケース３の前方に突出する。また、中ケース３は、その表側で意匠表示部４、透明部材５、及び指標表示部６を保持する。
【００１９】
意匠表示部４は、ポリカーボネート（ＰＣ：PolyCarbonate）等の透明板材に印刷が施されたものであり、中ケース３に保持されている。例えば、意匠表示部４の裏側に、高精細オフセット印刷により、印刷層が形成されている。印刷層は、遮光性のある色（例えば、黒色）の領域と、透光性のある色（透明、有色透明）の領域とからなり、これにより、意匠表示部４の表側の面である表示面４０には、図３（ａ）に示す意匠７Ａが表示される。なお、印刷層のうち透光性のある色の領域部分は、印刷層が形成されていないことによる抜き形状であってもよい。また、印刷層は、意匠表示部４の表側に形成されるものであってもよい。
【００２０】
以下では、図３（ａ）に示すように、意匠７Ａを表現する形状のうち、透光性のある部分を透光部７０Ａ（図２では、模式的に白抜きで表している）と、遮光性のある部分を遮光部７１Ａと呼ぶ。本実施形態では、図示するように、遮光部７１Ａが円状（リング状）に形成されており、複数の透光部７０Ａの各々は、遮光部７１Ａを形作る円の中心から外周方向に延びる矩形状となっている。透光部７０Ａは、所定の角度（例えば、図示するように４５°）で、円周方向に配列されている。意匠表示部４が第１の光源１１からの光を受けると、透光部７０Ａが発光する。
【００２１】
また、意匠表示部４は、その表示面４０が、回転軸１０ａ（後述する同心円の中心Ｏと一致する）に向かって傾斜するように形成されている。具体的には、意匠表示部４は、図２に示すように、裏側に向かって突出する円錐台の筒のような形状となっており、これにより、表示面４０が傾斜している。このような円錐台形状の意匠表示部４において、図２中右側の底部には、中ケース３の第１の照明室３１を形作る部分の一部を表側に通すための貫通孔４ａが形成されている。
【００２２】
透明部材５は、ポリメタクリル酸メチル樹脂（ＰＭＭＡ）等の透光性の樹脂材料からなる板状の部材である。透明部材５は、図４（ａ）に示すように、貫通孔５ａを有した円状、つまりリング状に形成されている。透明部材５は、意匠表示部４の表側（前方）に位置し、光を透過することで意匠表示部４の表示面４０に表示されている意匠７Ａを視認させる。貫通孔５ａは、中ケース３の第１の照明室３１を形作る部分の先端部の形状に合わせて形成されている。
【００２３】
透明部材５の裏側（つまり、意匠表示部４側）には、凹凸部５０が形成されている。ここで、透明部材５を形作る円の中心を、中心Ｏ（図４（ａ）参照）とすると、凹凸部５０は、中心Ｏを中心とした同心円の周方向に沿った複数の凹部５１及び凸部５２からなる。なお、図４（ａ）では、便宜的に、凹部５１を一点鎖線、凸部５２を破線で表している。
この凹凸部５０は、透明部材５の裏面に、スピンドル加工によって形成された複数の溝部によって生じる形状であり、透明部材５の断面形状を見れば、図４（ｂ）に示すように、各凹部５１は、表側に頂角が向く直角二等辺三角形状（つまり、底角の角度θ＝４５°）となっている（各凸部５２が、裏側に頂角が向く直角二等辺三角形状となっている、とも言える）。
【００２４】
前述した意匠７Ａが含む透光部７０Ａの形状は、表側から視認して、凹凸部５０の少なくとも一部を横切る。これにより、透光部７０Ａが発光し、透光部７０Ａの像を表す光が凹凸部５０を透過し、視認者に届くと、透光部７０Ａの像が中心Ｏを中心とした円の外周方向に延びるように視認され、意匠表示部４によって表現される意匠７Ａの表示の奥行き感が良好となる。透明部材５を介して、どのように意匠表示部４の表示意匠（意匠７Ａ）が視認されるかについては、後に詳述する。
【００２５】
指標表示部６は、所定の樹脂からなる透明板材に、印刷が施された表示板（中ケース３に保持されている）の一部である。指標表示部６は、意匠表示部４の外周の一部に沿った円弧状となっており、これにより、意匠表示部４は、指標表示部６の内側（つまり、中心Ｏ側）に位置する。
前記表示板の裏面には、遮光性の印刷層（例えば、黒色）が概ね全面に渡って形成されており、その一部が抜き文字になっている（その一部に遮光性の印刷層が形成されていない）。この抜き文字により、目盛６ａ、数値６ｂからなる指標表示部６が形成されている。例えば、前記表示板のうち指標表示部６の裏側には、図示しない光源（回路基板１に実装されている）が配置されており、表示板がこの光源からの光を受けると、抜き文字部分である指標表示部６（目盛６ａ、数値６ｂ）が発光する。図示するように、目盛６ａ、数値６ｂは、円弧状に配置されており、指針式計器１００は、電動機１０の動力によって指標表示部６上を回転する指針２（指示部２０）と、目盛６ａ、数値６ａからなる指標とを対比判読させることで、計測量（例えば、車速）を示す。
【００２６】
以上の構成からなる表示装置１０００（ないしは指針式計器１００）において、透明部材５を介して意匠表示部４の表示意匠（意匠７Ａ）がどのように視認されるかを、主に、図５を参照して、以下に説明する。
図５は、意匠表示部４の透光部７０Ａと、透明部材５と、表示装置１０００の視認者の視点Ｅとを模式的に示した図である。
【００２７】
第２の光源１２から照光されると、意匠表示部４における透光部７０Ａが発光する（つまり、透光部７０Ａから光が出射される）。
透光部７０Ａから出射された光の一部は、透明部材５の凹凸部５０の一部で屈折又は反射し、視点Ｅに届く。これにより、所定の箇所で、透光部７０Ａの形状を表す像７０Ａ−１が結像し、視認されることになる。また、透光部７０Ａから出射された光の他の一部は、透明部材５の凹凸部５０の他の一部で屈折又は反射し、視点Ｅに届く。これにより、前記所定の箇所とは、凹部５１と凸部５２が連続する方向に（つまり、中心Ｏを中心とした同心円の外周方向に）若干ずれた箇所で、透光部７０Ａの形状を表す像７０Ａ−２が結像し、視認されることになる。これと同様の現象が前記箇所以外でも生じることで、透光部７０Ａの形状を表す像が、前記同心円の外周方向に２重以上の像に分裂して視認される。
具体例を示せば、図３（ａ）に示す意匠７Ａを表示した意匠表示部４を、透明部材５を介して視認した場合、図３（ｂ）に示すように、透光部７０Ａが、前記同心円の中心Ｏから外側に延びた意匠７Ａ’を視認することになる（つまり、図１における指針２の近傍のドットを付した部分がこのように視認される）。これにより、意匠表示部４によって表現される意匠７Ａの表示の奥行き感が良好となる。
【００２８】
また、本実施形態では、意匠表示部４は、その表示面４０が、同心円の中心Ｏに向かって傾斜するように形成されているため、意匠表示部４と透明部材５との距離が、全ての領域に渡って等しくなく、具体的には、外周から中心Ｏに向かうに連れて、距離が広がるようになっている。
ところで、透光部７０Ａから視認者の視線Ｅに至る光線の角度は決まっているため、透明部材５と意匠表示部４（表示面４０）との距離が離れるに従って、透光部７０Ａからの光線と透明部材５の凹凸部５０との角度関係が変化し、図５に示す像７０Ａ−１と像７０Ａ−２との距離は、透光部７０Ａの中心Ｃから離れる。
本実施形態では、意匠表示部４と透明部材５との距離が、外周から中心Ｏに向かうに連れて、距離が広がるようになっているため、同心円の径方向における、ある箇所とある箇所との間で視認される像の離れ方が異なる。これにより、奥行き表現の斬新さがでて、視認される意匠７Ａの立体感が良好なものとなっている。
【００２９】
意匠表示部４が表示する意匠（模様）は、意匠７Ａのようなものに限られず、透明部材５の凹凸部５０の少なくとも一部を横切る形状を含むものであれば、様々な意匠が適用可能である。以下に、その一例を示す。
【００３０】
例えば、意匠表示部４が表示する意匠は、図６（ａ）に示す意匠７Ｂのようなものであってもよい。
意匠７Ｂにおいては、遮光部７１Ｂが円状（リング状）に形成される点は、意匠７Ａと同様であるが、複数の透光部７０Ｂの各々（前記横切る形状の一例）は、意匠７Ａの透光部７０Ａのように直線状でなく、曲線状となっており、これらが、同心円の周方向に配列されることにより、渦のような模様が表現されている。そして、図６（ａ）に示す意匠７Ｂを表示している意匠表示部４を、透明部材５を介して視認した場合、図６（ｂ）に示すように、透光部７０Ｂが、前記同心円の中心Ｏから外側に延びるように視認されることで、連なって渦模様を表す透光部７０Ｂが前記同心円の径方向に複数重なり、ぼやけて見える（意匠７Ｂ’）。このようにしても、表示意匠の奥行き感を出すことができる。
【００３１】
例えば、意匠表示部４が表示する意匠は、図７（ａ）に示す意匠７Ｃのようなものであってもよい。
意匠７Ｃにおいては、遮光部７１Ｃが円状（リング状）に形成される点は、意匠７Ａと同様であるが、複数の透光部７０Ｃの各々（前記横切る形状の一例）は、円形状となっており、これらが、規則的に配列されることにより、複数の泡のような模様が表現されている。そして、図７（ａ）に示す意匠７Ｃを表示している意匠表示部４を、透明部材５を介して視認した場合、図７（ｂ）に示すように、透光部７０Ｃが、前記同心円の中心Ｏから外側に延びるように視認されることで、連なって泡模様を表す透光部７０Ｃが前記同心円の径方向に複数重なり、ぼやけて見える（意匠７Ｃ’）。このようにしても、表示意匠の奥行き感を出すことができる。
【００３２】
以上の構成からなる表示装置１０００によれば、所定の表示の奥行き感が良好である。これは、次の構成によって実現される。
【００３３】
表示装置１０００は、所定の意匠（一例として、意匠７Ａ〜７Ｃ）を表示する表示面４０を有する意匠表示部４と、意匠表示部４の前方（表側）に位置し、光を透過することで表示面４０に表示されている意匠を視認させる透明部材５と、を備え、透明部材５の意匠表示部４側（裏側）には、同心円の周方向に沿った複数の凹部５１及び凸部５２からなる凹凸部５０が形成され、前記意匠は、凹凸部５０の少なくとも一部を横切る形状（一例として、透光部７０Ａ〜７０Ｃ）を含む。
【００３４】
上記表示装置１０００において、表示面４０の少なくとも一部は、前記同心円の中心に向かって傾斜している。
【００３５】
上記表示装置１０００において、円弧状に配列された複数の目盛６ａを表示する指標表示部６と、指標表示部６を指示し、前記同心円の中心を中心として回転する指針２と、をさらに備え、意匠表示部４は、指標表示部６の内側に位置する。
【００３６】
上記表示装置１０００において、意匠表示部４の背後に位置し、意匠表示部４を照光する光源（第２の光源１２）を備え、意匠表示部４が表示する意匠のうち、少なくとも前記横切る形状が表示された部分（一例として、透光部７０Ａ〜７０Ｃ）は、前記光源からの光を透過して出射し、この部分から出射された光が、凹凸部５０を透過することによって、前記横切る形状が前記同心円の中心から外側に延びるように視認される。
【００３７】
（変形例）
なお、本発明は以上の実施形態によって限定されるものではない。以上の実施形態に変更（構成要素の削除も含む）を加えることができるのはもちろんである。
【００３８】
以上の説明では、意匠表示部を、透明板材に印刷層が施されることによって所定の静止した意匠を表示する意匠表示部４としたがこれに限られない。このような板材を所定の動力により回転することで意匠を動かして、より斬新な表示を実現してもよいし、意匠表示部が印刷層によって意匠を表現するのでなく、複数の部材の組合せや、彫り加工等によって表される意匠を表示してもよい。さらには、意匠表示部は、表示板のようなものではなく、所定の意匠を表示する液晶表示装置等のデジタル表示器であってもよい（例えば、透明部材５の裏側に、意匠７Ａ〜７Ｃのような意匠、及び、目盛６ａ、数値６ｂ等の指標を表示するデジタル表示器を設けることで、意匠表示部及び指標表示部が実現されてもよい）。
【００３９】
以上の説明では、意匠表示部４の表示面４０が裏側に向かって突出して同心円の中心Ｏに向かって傾斜している例を示したが、意匠表示部４の表示面４０は、表側に向かって突出して同心円の中心Ｏに向かって傾斜していてもよい。
【００４０】
以上では、表示装置１０００を車両用の計器として説明したが、これに限られない。計器装置は、航空用計器、船舶用計器等であってもよい。
【００４１】
なお、以上の説明では、本発明の理解を容易にするために、公知の技術的事項の説明を適宜省略した。
【符号の説明】
【００４２】
１０００…表示装置
１００…指針式計器
１    …回路基板
１ａ  …貫通孔
１０  …電動機
１０ａ…回転軸
１１  …第１の光源
１２  …第２の光源
２    …指針
２０  …指示部
２１  …指針キャップ
３    …中ケース
３１  …第１の照明室
３２  …第２の照明室
４    …意匠表示部
４ａ  …貫通孔
４０  …表示面
５    …透明部材
５ａ  …貫通孔
５０  …凹凸部
５１  …凹部
５２  …凸部
６    …指標表示部
６ａ  …目盛
６ｂ  …数値
７Ａ  …意匠
７０Ａ…透光部
７１Ａ…遮光部
２００…ディスプレイ装置
【図１】
2013200142.tif 000003
【図２】
2013200142.tif 000004
【図３】
2013200142.tif 000005
【図４】
2013200142.tif 000006
【図５】
2013200142.tif 000007
【図６】
2013200142.tif 000008
【図７】
2013200142.tif 000009